(57)【要約】  【課題】本発明は、上記の如くの問題に鑑みてなされたものであり、高度なバリア性を有しつつ容器内に発生した臭いを自ら除去することができ、且つ、従来一般的に行なわれているヒートシールによる製袋を可能とする包装材及びこの包装材を用いて構成される消臭機能を有する容器を提供せんとするものである。  【解決手段】表面層のうち、一方が臭い成分を透過し易い低密度の合成樹脂を主成分として構成され、他方が前記表面層に比べて明らかに融点の高い合成樹脂を主成分として構成され、少なくとも１つの中間層がアルミニウム箔である積層体において、少なくとも前記低密度の合成樹脂に消臭機能を有する物質を配合したことを特徴とする積層体及びそれからなる容器。  【選択図】図２
2007038576.tif 000002
【特許請求の範囲】
【請求項１】
低密度の合成樹脂フィルムからなる内表層と、融点の高い合成樹脂フィルムからなる外表層の間に、中間層が配置されている積層フィルムにおいて、前記内表層に消臭機能を有する物質を配合したことを特徴とする積層体。
【請求項２】
消臭機能を有する物質が、ゼオライト、金属担持ゼオライト、酸化亜鉛、酸化チタン、活性炭から選ばれる１又は２以上の物質であることを特徴とする請求項１に記載の積層体。
【請求項３】
低密度の合成樹脂フィルムが、低密度ポリエチレン、直鎖状低密度ポリエチレン、エチレン−エチルアクリレート共重合体、エチレン−アクリル酸共重合体、無延伸ポリプロピレンから選ばれる１又は２以上のフィルムであることを特徴とする請求項１又は２に記載の積層体。
【請求項４】
消臭機能を有する物質を含有する低密度の合成樹脂フィルムからなる内表層と、融点の高い合成樹脂フィルムからなる外表層の間に、中間層が配置されている積層体を、二枚用いて、それぞれの積層体の内表層が内側となるように四隅をヒートシールし、シール内に所望の物品を配置したことを特徴とする袋状容器。
【請求項５】
所望の物品が化粧品容器又は化粧付属品であることを特徴とする請求項４に記載の袋状容器。
【請求項６】
消臭機能を有する物質を含有する低密度の合成樹脂フィルムからなる内表層と、融点の高い合成樹脂フィルムからなる外表層の間に、中間層が配置されている積層体を、金属又は肉厚樹脂を主材料とする容器の開口部に、前記積層体の内表層を内側に向けて融着・密封したことを特徴とする容器。
【発明の詳細な説明】
【技術分野】
【０００１】
内部に物品を収容して密封する包装材若しくは容器に関するものであり、特に内部の物品から発生する異臭を防止すると共に、水やアルコール等の液体やそれらの気相体や空気等の気体に対するバリア性、又は遮光性を有する包装材若しくは容器に関する。
【背景技術】
【０００２】
従来より内容物を保護することを目的とする袋状に形成された容器が存在し、様々な用途で広く利用されている。そのような容器を、袋状に形成する手法としては、所謂ヒートシールと呼ばれる製袋方法が一般的に用いられている。また、それらの容器は、例えば、容器内外の空気や酸素等のガス、或いは水分の移動を防止することによって、内容物の酸化や固化、溶解等を防いだり、内容物を遮光させることによって、変質や品質の劣化等から内容物を保護するように構成されている。それらは、適宜選択される容器の材料や構成等がよく工夫され、高度なバリア性能を得るに至っている。
【０００３】
しかしながら、その高いバリア性能のために、内容物たる物品から異臭が発生した場合は、パウチや容器の外部に抜けることなく内部に溜まり、開封時において使用者に不快感を与える畏れがあった。また、特に化粧品おいては、ファンデーションのレフィル容器、オートアイライナーのカートリッジ、サンプル容器、化粧ブラシなどをパウチに密封して市場に出されることが多く、パウチを開封したときに、化粧品の匂いとは異なる樹脂材料からのアミン様の異臭が、鼻をつき、不快感を感じたり、化粧品の中味に移行してしまい、使用でないなどの問題があった。従来の容器においても、特開平８−２５８２２９号公報（特許文献１）に開示されている技術のように、何等かの方法で消臭機能を持たせた包装材は存在していたが、その多くは敢えて通気性を持たせたり、またはシート状のまま使用することを目的としており、高度なバリア性を有し且つ容器内部の臭いを除去する消臭効果を有するものは存在しなかった。
【０００４】
【特許文献１】特開平８−２５８２２９号公報
【発明の開示】
【発明が解決しようとする課題】
【０００５】
本発明は、上記の如くの問題に鑑みてなされたものであり、高度なバリア性を有しつつ容器内に発生した臭いを自ら除去することができる積層体とこの積層体を利用したパウチなどの袋状容器およびこの積層体を蓋体として利用する広口の容器を提供せんとするものである。
【課題を解決するための手段】
【０００６】
上記課題を解決するために本発明が採った手段は、低密度の合成樹脂フィルムからなる内表層と、融点の高い合成樹脂フィルムからなる外表層の間に、中間層が配置されている積層フィルムにおいて、前記内表層に消臭機能を有する物質を配合したことを特徴とする。そして、消臭機能を有する物質が、ゼオライト、金属担持ゼオライト、酸化亜鉛、酸化チタン、活性炭から選ばれる１又は２以上の物質であることを特徴とする。
また、このフィルムが低密度ポリエチレン、直鎖状低密度ポリエチレン、エチレン−エチルアクリレート共重合体、エチレン−アクリル酸共重合体、無延伸ポリプロピレンから選ばれる１又は２以上のフィルムであることを特徴とする。
【０００７】
また、二枚の積層体を用いて、それぞれの積層体の内表層が内側となるように四隅をヒートシールし、シール内に所望の物品を袋状容器であることを特徴とし、所望の物品が化粧品容器又は化粧付属品であることを特徴とする。
【０００８】
さらに、金属又は肉厚樹脂を主材料とする容器の開口部に、積層体の内表層を内側に向けて、該開口部に融着・密封した容器であることを特徴とする。
【発明の効果】
【０００９】
この発明によれば、従来と殆ど同等の製造工程にして、廉価な製造コストで、高度なバリア性を確保しつつ、消臭効果の高い積層体を得ることができ、また、積層体をパウチ状にして、化粧品容器又は化粧付属品を内部に入れた場合は、化粧品容器等から発生したアミン様の異臭を良く吸収し、パウチ袋を開封した時に、使用者が不信感を感じない化粧品等を提供することができる。更に、この積層体を広口容器の開口部に、内表層を内側に向けて、該開口部に融着・密封することにより、消臭機能に優れた食品などに応用することができる。
【発明を実施するための最良の形態】
【００１０】
この発明の好ましい実施の形態を図面を参照しながら以下に詳細に説明する。図１は、当該発明の積層体(１)を用いて構成され、中に化粧品のプラスチック瓶が入っている状態を示すパウチ容器(２)の断面図であり、図２は当該発明の積層体(１)の構造を示す断面図である。また、図３は、合成樹脂の広口容器の開口面に、本発明の積層体(１)を融着・密封した状態を示す断面図である。
【００１１】
図１に示すように、当該発明の積層体(１)を用いて構成されるパウチ容器(２)の好ましい一実施形態は、後述の積層体(１)二枚のそれぞれの内表層側を重ね合わせ、それらの間に被収容物(３)を配置し、重ね合わせられた二枚の積層体(１)の周縁をヒートシールして袋状に密閉して構成される。ここで、被収容物(３)は、ボトル状の化粧品容器本体にキャップが付いている化粧品容器が化粧品が入っている状態で入れられている。キャップ又は容器本体からアミン様の臭いが発生した場合でも、内表層に含有されている消臭機能を有する物質によって、異臭は吸収される。ここでは、化粧品容器をパウチに内封したが、勿論これに限らず所望の物品を収容することができる。
【００１２】
図１に示したパウチ容器(２)をなす上下の積層体(１)は、表面層のうち包装状態としたときに外側向きの表層をなす外表層(４)が、内表層(５)と比べて明らかに融点の高い合成樹脂を主材料として構成される。また、表面層のうち包装状態としたとき内側向きの表層をなす内表層(５)が、臭い成分を透過し易い低密度の合成樹脂フィルムであって、外表層(４)をなす合成樹脂フィルムよりも明らかに融点が低い合成樹脂フィルムを主材料として構成される。この内表層(５)をなす合成樹脂フィルムには、消臭機能を有する物質が配合されている。そして、少なくとも中間層(６)は、アルミニウムを展伸させたものから構成され、この無孔性のアルミニウム箔状の層を介在させることによって、この層を跨ぐ物質移動が殆ど起こらないように構成されると共に遮光性も確保され、遮断性に優れた高度なバリア性を得ることができるようになっている。この構造の積層体(１)を示したのが図２である。
【００１３】
外表層(４)は、中間層(６)をなすアルミニウム層を保護すると共に、宣伝広告等の表示体を担持させることができるようにするためのものであり、これら保護効果と表示性を担保するために、内表層(５)よりも明らかに融点が高い合成樹脂であればよく、特に限定されるものではないが、好ましくは従来公知のポリエステルから適宜選択される合成樹脂、より具体的にはポリエチレンテレフタレートを好適に用いることができる。
【００１４】
内表層(５)は、パウチ容器(２)内部に収容した収容物由来の臭い成分、又はパウチ容器(２)を構成する物質由来の臭い成分を透過させつつ、該内表層(５)に配合された消臭剤(７)によってパウチ容器(２)内の臭いを除去するためのものである。この内表層(５)は、外表層(４)をなす合成樹脂よりも明らかに融点が低い合成樹脂を主成分として構成されるものであり、これによって外表層(４)をなす合成樹脂の融点よりも低く、且つ内表層をなす合成樹脂の融点よりも高い温度となるように、外表層(４)側から熱を加えることによるヒートシールが可能となるように構成される。
【００１５】
また、内表層(５)をなす主成分の合成樹脂は、臭い成分を透過し易い合成樹脂が選ばれる。そのような合成樹脂は、比較的低密度で軟質であるものが多く、それは比較的融点が低いものが多いが、好ましくは密度が０．９５以下である合成樹脂、更に好ましくは、低密度ポリエチレン、直鎖状低密度ポリエチレン、エチレン−エチルアクリレート共重合体、エチレン−アクリル酸共重合体、無延伸ポリプロピレンから選ばれる１又は２以上のフィルムを用いる。このような合成樹脂を用いることによって、臭い成分が該樹脂の内部に浸透し易く、樹脂表面だけでなく内部に存在する消臭剤にまで臭い成分が達することができ、このような樹脂でないものに比べ各段に消臭効果が高くできるようになっている。更に、十分な消臭効果を持たせるために、好ましくは、この内表層(５)の層厚を３０乃至１００μｍとする。
【００１６】
また、上記内表層(５)の主成分をなす合成樹脂に配合される消臭剤(７)は、該樹脂の融点近傍の温度で配合されて練り込まれるが、一般的にそのような溶融温度は１５０〜２７０℃であり、したがって、消臭剤(７)はそのような温度下に曝されても消臭効果を損なわないものである必要があるが、これ以外特に限定されるものではない。そのような消臭剤(７)としては、消臭機能を有する無機物質が好適であり、例えばゼオライト、金属担持ゼオライト、酸化亜鉛、酸化チタン、活性炭等を挙げることができ、消臭したい臭い成分によって、これらから適宜選ばれる少なくとも１つ以上の物質を単独又は複合して用いることができる。それらの無機物質は、粉末状にして内表層(５)の主成分をなす合成樹脂に配合されるが、その配合される無機粉体の粒径及び配合量は、好ましくは１乃至２０μｍ、５乃至５０質量％とする。このような粒径及び配合量とすることによって、合成樹脂への練り込みの際に特別な混練機或いは成形機を必要とせず、従来の設備で十分対応することができるようになると共に、層状に成形された樹脂も適度の強度や可撓性と表面の平滑性を得ることができ、さらに、十分な消臭効果を得ることができる。
【００１７】
本発明の積層体は、異臭を防止するためのシートととして広く利用することができる。
また、他の容器と併用、例えば、図３に示すように、肉厚樹脂からなる広口容器(８)の開口部に本発明の積層体(１)の内表層(５)を内側に向けて、該積層体を該開口部に融着・密封し、内容物から発生した異臭を吸収し、長期に渡る保管を可能にすることができる。
【実施例１】
【００１８】
以下の条件で積層体を作成した。
内表層として、疎水性ゼオライトを４０質量％含有した、厚さ５０μｍの低密度ポリエチレンフィルム、外表層として、厚さ１２μｍのポリエチレンテレフタレートフイルム、中間層として７μｍのアルミニウム膜で積層体を作成した。この積層体は、一般的な積層フルム作成方法で容易に作成でき、安定性にも優れていた。
【実施例２】
【００１９】
実施例１で作成した積層体を二枚使って、サンプル用化粧水を中に配置しながら、それぞれの積層体の内表層が内側となるように四隅をヒートシールし、化粧品用のパウチ容器を作成した。内表層に疎水性ゼオライトを含まない比較例と、３週間後の異臭状態を比較すると実施例２のパウチ状の袋状容器は、異臭を感じないものであった。
【図面の簡単な説明】
【００２０】
【図１】当該発明の積層体を用いて作られたパウチ容器の断面図
【図２】当該発明の積層体の構造を示す断面図
【図３】当該発明の積層体を広口容器に貼付けた状態を示す断面図
【符号の説明】
【００２１】
１  積層体
２  パウチ容器
３  被収容物
４  外表層
５  内表層
６  中間層
７  消臭剤
８  広口容器
【図１】
2007038576.tif 000003
【図２】
2007038576.tif 000004
【図３】
2007038576.tif 000005